(57)【要約】【課題】ティースがヨークの外周側から挿入される電機子コアにおいて、ティースの径方向における位置を容易に固定できる電機子コアを提供する。【解決手段】ヨーク１１は複数の凹部１１１を備えている。凹部１１１は、回転軸Ｐに平行な方向における一方の側及び回転軸Ｐを中心とした径方向における回転軸Ｐとは反対側に開口している。複数のティース１２は回転軸Ｐとは反対側から径方向に沿って凹部１１１に挿入される。複数の固定部１３は複数のティース１２の一端に対して回転軸Ｐとは反対側から、径方向における複数のティース１２の位置を個別に固定する。【選択図】図３
2010035342.tif 000002
【特許請求の範囲】
【請求項１】
所定の軸（Ｐ）の周りで環状に配置され、前記軸の一方の側と、前記軸を中心とした径方向において前記軸とは反対側とに開口した複数の凹部（１１１）を有するヨーク（１１）と、
前記径方向で両端を有し、前記複数の凹部にそれぞれ埋め込み配置される複数のティース（１２）と、
前記径方向における前記軸側の前記複数のティースの一端に対して前記軸とは反対側から、前記径方向における前記複数のティースの位置を個別に固定する複数の固定部（１３）と
を備える、電機子コア（１）。
【請求項２】
前記複数の固定部（１３）は、前記ヨーク（１１）と同体であって、前記軸（Ｐ）とは反対側から前記複数のティース（１２）をそれぞれ掛止する突形状を有する、請求項１に記載の電機子コア。
【請求項３】
前記ヨークは、前記複数の凹部が設けられた位置でそれぞれ前記軸について少なくとも前記一方の側で開口する複数の第１孔を更に備え、
前記複数のティースの各々は、前記複数の第１孔と前記軸に沿った方向で連続する第２孔を更に備え、
前記複数の固定部は前記ヨーク（１１）と別体であって、その各々が前記第１孔及び前記第２孔に嵌挿される、請求項１に記載の電機子コア。
【請求項４】
前記複数の固定部（１３）は、前記ヨーク（１１）と別体であって、前記軸（Ｐ）に沿った方向で前記複数の凹部（１１１）にそれぞれ嵌挿され、前記径方向において前記軸とは反対側で前記複数のティース（１２）とそれぞれ接する、請求項１に記載の電機子コア。
【請求項５】
前記複数の固定部（１３）は、前記ヨーク（１１）と別体であって、前記複数のティース（１２）の各々を前記軸（Ｐ）側へと付勢する、請求項１に記載の電機子コア。
【請求項６】
前記軸（Ｐ）を中心とした周方向における前記複数のティース（１２）の各々の幅（Ｗ２）は前記軸側で狭く、
前記周方向における前記複数の凹部（１１１）の各々の幅（Ｗ１）は前記軸側で狭く、最も軸側の前記複数の凹部の各々の幅は、最も軸側の前記複数のティースの各々の幅よりも狭い、請求項５に記載の電機子コア。
【請求項７】
前記複数の固定部（１３）は、前記ヨーク（１１）と前記複数のティース（１２）との境界にそれぞれ位置し前記軸（Ｐ）とは反対側で露出した箇所に設けられる溶接部である、請求項１に記載の電機子コア。
【請求項８】
前記複数のティース（１２）の各々は、前記軸（Ｐ）を中心とした周方向で突出する突部（１２１）を有し、
前記複数の凹部（１１１）の各々は前記軸に平行な方向で前記突部と係合する、請求項１乃至７の何れか一つに記載の電機子コア。
【発明の詳細な説明】
【技術分野】
【０００１】
本発明は、電機子コアに関し、特にティースをヨークに固定する技術に関する。
【背景技術】
【０００２】
特許文献１にはアキシャルギャップ型の電機子コアが記載されている。電機子コアはステータヨークと、ティースとを備えている。ステータヨークには回転軸に平行な方向で自身を貫通する孔が設けられている。ティースは当該孔に圧入されている。
【０００３】
なお、本件に関する技術が特許文献２，３に記載されている。
【０００４】
【特許文献１】国際公開第２００４／０１７４８８号パンフレット
【特許文献２】国際公開第０３／０１２９５６号パンフレット
【特許文献３】特開２００７−２２８７９０号公報
【発明の開示】
【発明が解決しようとする課題】
【０００５】
アキシャルギャップ型の電機子コアのヨークに、複数のティースの各々の端部を填める複数の凹部が設けられる場合、当該凹部の各々は回転軸方向の一方の側に開口する。更に、回転軸を中心とした径方向において回転軸とは反対側（ヨークの外周側）にも当該凹部が開口していれば、複数のティースは径方向に沿ってヨークの外周側から複数の凹部にそれぞれ挿入される。
【０００６】
しかし凹部が外周側にも開口すると、ティースがヨークから外周側へと抜ける可能性がある。
【０００７】
そこで、本発明は、ティースがヨークの外周側から挿入される電機子コアにおいて、ティースの径方向における位置を容易に固定できる電機子コアを提供することを目的とする。
【課題を解決するための手段】
【０００８】
本発明に係る電機子コアの第１の態様は、所定の軸（Ｐ）の周りで環状に配置され、前記軸の一方の側と、前記軸を中心とした径方向において前記軸とは反対側とに開口した複数の凹部（１１１）を有するヨーク（１１）と、前記径方向で両端を有し、前記複数の凹部にそれぞれ埋め込み配置される複数のティース（１２）と、前記径方向における前記軸側の前記複数のティースの一端に対して前記軸とは反対側から、前記径方向における前記複数のティースの位置を個別に固定する複数の固定部（１３）とを備える。
【０００９】
本発明に係る電機子コアの第２の態様は、第１の態様にかかる電機子コアであって、前記複数の固定部（１３）は、前記ヨーク（１１）と同体であって、前記軸（Ｐ）とは反対側から前記複数のティース（１２）をそれぞれ掛止する突形状を有する。
【００１０】
本発明に係る電機子コアの第３の態様は、第１の態様にかかる電機子コアであって、前記ヨークは、前記複数の凹部が設けられた位置でそれぞれ前記軸について少なくとも前記一方の側で開口する複数の第１孔を更に備え、前記複数のティースの各々は、前記複数の第１孔と前記軸に沿った方向で連続する第２孔を更に備え、前記複数の固定部は前記ヨーク（１１）と別体であって、その各々が前記第１孔及び前記第２孔に嵌挿される。
【００１１】
本発明に係る電機子コアの第４の態様は、第１の態様にかかる電機子コアであって、前記複数の固定部（１３）は、前記ヨーク（１１）と別体であって、前記軸（Ｐ）に沿った方向で前記複数の凹部（１１１）にそれぞれ嵌挿され、前記径方向において前記軸とは反対側で前記複数のティース（１２）とそれぞれ接する。
【００１２】
本発明に係る電機子コアの第５の態様は、第１の態様にかかる電機子コアであって、前記複数の固定部（１３）は、前記ヨーク（１１）と別体であって、前記複数のティース（１２）の各々を前記軸（Ｐ）側へと付勢する。
【００１３】
本発明に係る電機子コアの第６の態様は、第５の態様にかかる電機子コアであって、前記軸（Ｐ）を中心とした周方向における前記複数のティース（１２）の各々の幅（Ｗ２）は前記軸側で狭く、前記周方向における前記複数の凹部（１１１）の各々の幅（Ｗ１）は前記軸側で狭く、最も軸側の前記複数の凹部の各々の幅は、最も軸側の前記複数のティースの各々の幅よりも狭い。
【００１４】
本発明に係る電機子コアの第７の態様は、第１の態様にかかる電機子コアであって、前記複数の固定部（１３）は、前記ヨーク（１１）と前記複数のティース（１２）との境界にそれぞれ位置し前記軸（Ｐ）とは反対側で露出した箇所に設けられる溶接部である。
【００１５】
本発明に係る電機子コアの第８の態様は、第１乃至第７の何れか一つの態様にかかる電機子コアであって、前記複数のティース（１２）の各々は、前記軸（Ｐ）を中心とした周方向で突出する突部（１２１）を有し、前記複数の凹部（１１１）の各々は前記軸に平行な方向で前記突部と係合する。
【発明の効果】
【００１６】
本発明に係る電機子コアの第１の態様によれば、軸とは反対側からティースの径方向における位置を固定している。ティースをヨーク（凹部）に埋め込んで配置した後にティースを固定するに際して、軸側から固定する場合に比べて作業性を向上でき、簡単にティースの径方向における位置を固定できる。
【００１７】
本発明に係る電機子コアの第２の態様によれば、固定部がヨークと同体であるので、別個に固定部を製造する必要がない。言い換えると、ヨークの形状によって固定部を実現できる。よって別個に固定部を製造する場合に比べて製造コストの増大を抑制できる。
【００１８】
本発明に係る電機子コアの第３の態様によれば、固定部を凹部に嵌挿することでティースの径方向における位置を固定できるので、作業性を向上できる。
【００１９】
本発明に係る電機子コアの第４の態様によれば、固定部を凹部に嵌挿することでティースの径方向における位置を固定できるので、作業性を向上できる。
【００２０】
本発明に係る電機子コアの第５の態様によれば、径方向におけるティースの位置をより強固に固定できる。
【００２１】
本発明に係る電機子コアの第６の態様によれば、ティースが軸側に付勢される。最も軸側の凹部の幅は最も軸側のティースの幅よりも狭いので、ヨークは弾性変形によって周方向でティースを締め付ける方向に力を加える。よって、ティースの固定をより強固にできる。
【００２２】
本発明に係る電機子コアの第７の態様によれば、ティースの径方向における位置を強固に固定できる。またティースに電機子巻線を巻回して電機子を得て、軸に対して当該電機子と対面するように界磁子を配置して回転電機を得た場合に、ティースの内部を流れる磁束は軸を中心とした周方向に沿ってヨークの内部を流れる。軸とは反対側の箇所で溶接されるので、当該磁束が当該箇所を流れにくいので、電機子としての磁気特性の劣化を抑制でき、ひいては回転電機としての効率低下を抑制できる。
【００２３】
本発明に係る電機子コアの第８の態様によれば、凹部が周方向に突出した突部と軸に平行な方向で係合するので、軸に平行な方向においてティースと凹部とを固定できる。
【発明を実施するための最良の形態】
【００２４】
第１の実施の形態．
図１は第１の実施の形態に係る電機子コアの概念的な構成の一例を示している。図１は回転軸Ｐに沿って見た電機子コア１の上面図である。
【００２５】
電機子コア１はヨーク１１と複数のティース１２とを備えている。
【００２６】
ヨーク１１は例えば回転軸Ｐを中心とした環状の外周を有する磁性体である。ヨーク１１は複数の凹部１１１を備えている。複数の凹部１１１は回転軸Ｐの周りで環状に配されている。凹部１１１は回転軸Ｐに平行な軸方向（以下、単に軸方向と呼ぶ）における一方の側及び回転軸Ｐを中心とした径方向（以下、単に径方向と呼ぶ）における回転軸Ｐとは反対側（以下、外周側とも呼ぶ）に開口している。より具体的な凹部１１１の形状については後に述べる。
【００２７】
複数のティース１２はそれぞれ複数の凹部１１１に埋め込み配置される。ティース１２は凹部１１１から軸方向の一方の側へと延在している。ティース１２のうち、凹部１１１から延在した部分には不図示の電機子巻線が不図示の絶縁物を介して巻回される。なおティース１２は径方向又は周方向に積層された複数の磁性板（例えば積層鋼板）によって構成されてもよい。この場合、ティース１２の内部を軸方向に沿って流れる磁束に起因する渦電流を低減することができる。ヨーク１１についても同様であって、例えば軸方向に積層された複数の磁性板（例えば積層鋼板）によって構成されてもよい。この場合であれば、ヨーク１１の内部を周方向に沿って流れる磁束に起因する渦電流を低減できる。
【００２８】
図２は図１に示す電機子コアのうち一のティース１２に相当する部分を示す概念的な斜視図である。但し、図２においてはヨーク１１とティース１２とが径方向に分離されて示されている。
【００２９】
ティース１２とヨーク１１とが軸方向において相互に固定されるべく、ティース１２及びヨーク１１とは次のような構造を有している。ティース１２は突部１２１を有している。突部１２１は、凹部１１１に埋め込まれる位置で、回転軸Ｐを中心とした周方向（以下、単に周方向と呼ぶ）において突出している。図１においては、軸方向における他方側のティース１２の端、即ちティース１２の底部において突部１２１を有している。凹部１１１は周方向において自身から見て外側に突出した突部１１２を有している。突部１１２は突部１２１と嵌合する。言い換えると、凹部１１１は軸方向において突部１２１と係合する。
【００３０】
このような電機子コア１は次のように組み立てられる。即ち、ティース１２はヨーク１１の外周側から突部１１２，１２１を相互に嵌合させて、径方向に沿ってヨーク１１の凹部１１１に挿入される。
【００３１】
また電機子コア１は図示せぬ複数の固定部を備えている。複数の固定部は、径方向において回転軸Ｐ側に位置する複数のティース１２の一端に対して回転軸Ｐとは反対側から、径方向における複数のティース１２の位置をそれぞれ個別に固定する。具体的な固定部については後に詳述する。これによって、ティース１２がヨーク１１の外周側から径方向に沿って抜けることを防止できる。またティース１２をヨーク１１（凹部１１１）に埋め込んで配置した後にティース１２を固定するに際して、回転軸Ｐ側から固定する場合に比べて作業性を向上にでき、簡単に径方向におけるティース１２の位置を固定できる。
【００３２】
具体的な固定部１３の一例として、固定部１３はヨーク１１と同体であって、回転軸Ｐとは反対側からティース１２を掛止する突形状を有している。図３は、かかる固定部１３の一例を有する電機子コア１の、一のティース１２に相当する部分を示す上面図である。但し、図２において、ティース１２はヨーク１１とは反対側で幅広となる鍔部を有していたが、図３においては当該鍔部については省略して示している。鍔部は必須の要件ではないものの、界磁子に設けられる永久磁石の動作点を向上させることができる。
【００３３】
固定部１３は、周方向における凹部１１１の少なくとも一方の端に設けられ、ティース１２側へと突出した爪形状を有している。そして、ティース１２が凹部１１１に埋め込み配置された状態で、固定部１３が回転軸Ｐとは反対側のティース１２の一端面１２ａと接する。また凹部１１１は径方向において回転軸Ｐ側には開口していない。言い換えると、ティース１２は径方向において回転軸Ｐ側でヨーク１１と接している。
【００３４】
このような構成の電機子コア１において、ヨーク１１の外周側から径方向にそって、ティース１２が凹部１１１に挿入される。このとき、ティース１２によって、固定部１３が存する位置での凹部１１１の周方向における幅が押し広げられる。そして径方向において固定部１３よりも回転軸Ｐ側に位置するまでティース１２が凹部１１１に挿入されると、当該幅が元に戻って固定部１３が径方向においてティース１２と接する。
【００３５】
ティース１２は径方向においてヨーク１１と固定部１３によって挟まれるので、径方向におけるティース１２の位置を固定できる。また、ティース１２をヨーク１１（凹部１１１）に挿入するだけで、径方向におけるティース１２の位置を固定できる。よって、固定作業を簡易にできる。また固定部１３がヨーク１１と同体であるので、別途に固定部１３を製造する必要がなく製造コストの増大を抑制できる。
【００３６】
なお、図３において、ティース１２は回転軸Ｐ側でヨーク１１と径方向で接しているが、必ずしもこれに限らない。例えば周方向におけるティース１２の幅が回転軸Ｐ側で狭く、周方向における凹部１１１の幅が回転軸Ｐ側で狭いときは、ティース１２の回転軸Ｐ側の角がヨーク１１と当接し、これによってヨーク１１がティース１２を支持してもよい。この点は以下で述べる他の態様についても同様である。
【００３７】
図４，５は、ヨーク１１と同体であって、回転軸Ｐとは反対側からティース１２を掛止する突形状を有した固定部１３の他の一例を有する電機子コアの一部の概念的な構成を示している。固定部１３の形状は、径方向におけるティース１２の位置を固定する前と固定する後で変形される。図４はティース１２を固定する前の様子を示し、図５はティース１２を固定した後の様子を示している。但し、図５においては、固定前の固定部１３の形状が二点鎖線で示されている。
【００３８】
ティース１２を固定する前では、固定部１３は凹部１１１と周方向で隣接して、外周へと突出した形状を有している。より具体的に説明する。固定部１３は周方向において凹部１１１と凹部１１３とで挟まれている。凹部１１３はヨーク１１に設けられ、径方向において外周側に開口している。言い換えると、凹部１１１，１１３を設けることで、これらの間に位置するヨーク１１は外周へと突出した形状を有する。この突出した形状が固定部１３に相当する。
【００３９】
また、ティース１２が凹部１１１に埋め込み配置された状態で、固定部１３はティース１２に対して回転軸Ｐとは反対側に位置する。そして、固定部１３は自身に最も近いティース１２の角１２ｃを支点としてティース１２側へと屈曲される。この様子が図５に示されている。この屈曲によって、固定部１３はティース１２と径方向において接する。
【００４０】
よって、ティース１２は径方向においてヨーク１１と固定部１３とで挟まれるので、自身の径方向における位置が固定される。またこの場合であっても、固定部１３がヨーク１１と同体であるので、製造コストの増大を抑制できる。
【００４１】
第２の実施の形態．
第２の実施の形態にかかる電機子コアの概念的な構成の一例は図１，２に示す電機子コアと同一である。但し、固定部が相違している。図６は固定部の一例を備えた電機子コアの概念的な構成を示している。図６は図１における電機子コア１において一のティース１２に相当する部分の、径方向に沿った断面を示している。
【００４２】
ヨーク１１は凹部１１１が設けられる位置で軸方向に自身を貫通する孔１１４を有している。ティース１２は軸方向でヨーク１１側へと開口した孔１２２を有している。孔１１４，１２２は軸方向で連続している。固定部１３は例えばノックピンやキーであって、孔１１４，１２２に嵌挿されている。言い換えると、固定部１３は孔１１４，１２２に埋め込まれている。また、固定部１３は径方向において回転軸Ｐ側に位置するティース１２の一端１２ｂに対して回転軸Ｐとは反対側から、径方向におけるティース１２の位置を固定していると把握できる。
【００４３】
このような電機子コアにおいて、固定部１３はティース１２及びヨーク１１を締結することができ、以って径方向におけるティース１２の位置を固定することができる。
【００４４】
また固定部１３は軸方向においてヨーク１１に対してティース１２とは反対側から孔１１４，１２２に嵌挿される。よってこの場合であっても、径方向におけるティース１２の位置を内周側から固定する場合に比べて作業空間が広く、以て作業性を向上できる。
【００４５】
なお、孔１１４は必ずしもヨーク１１を貫通していなくとも良い。例えば孔１１４が軸方向でティース１２側に開口しており、孔１２２が軸方向でティース１２を貫通していても良い。この場合、固定部１３は軸方向においてティース１２に対してヨーク１１とは反対側から孔１２２，１１４に挿入される。但し、軸方向でティース１２に対向して界磁子を配置した場合に、ティース１２と界磁子との間のエアギャップに対して悪影響を与えないという観点では、図６に示す電機子コアの方が好ましい。
【００４６】
図７は固定部１３の他の一例を備えた電機子コアの一部の概念的な構成を示している。固定部１３は、ヨーク１１と別体であって、径方向でティース１２と接する位置に配され、回転軸Ｐに沿った方向で凹部１１１に嵌挿される。図７を参照して具体的な一例について説明する。
【００４７】
固定部１３は例えばＳＭＣ（Soft Magnetic Composites）や樹脂などである。固定部１３は例えば直方体部と、当該直方体部の対向する両面に設けられた突部１３１とを含む形状を有している。また凹部１１１は、ティース１２に対して回転軸Ｐとは反対側の位置で、周方向で突出する突部１１５を備えている。突部１１５は軸方向でティース１２側に開口している。そして、固定部１３は突部１３１を周方向に向けて軸方向に沿って凹部１１１に嵌挿される。より具体的には、突部１３１が突部１１５と嵌合する。これによってヨーク１１に対して固定部１３が固定される。また固定部１３が凹部１１１に嵌合された状態で、固定部１３はティース１２と径方向において接する。
【００４８】
よって、ティース１２は径方向においてヨーク１１と固定部１３とで挟まれるので、径方向におけるティース１２の位置を固定できる。この場合であっても、固定部１３はティース１２の外周側で固定しているので、作業性を向上できる。
【００４９】
なお、必ずしも固定部１３が突部１３１を有している必要はなく、固定部１３が凹部１１１に嵌合された状態で、ヨーク１１に対する固定部１３の径方向の位置が固定されていればよい。
【００５０】
第３の実施の形態．
第３の実施の形態にかかる電機子コアの概念的な構成の一例は図１，２に示す電機子コアと同一である。但し、固定部は、ヨーク１１と別体であって、ティース１２を回転軸Ｐ側へと付勢する。図８はかかる固定部の一例を備えた電機子コアの概念的な構成を示している。
【００５１】
ティース１２は径方向に自身を貫通する孔１２３を備えている。孔１２３はティース１２のうち例えば凹部１１１に埋め込まれる部分に設けられている。ヨーク１１は凹部１１１が設けられる位置に対して径方向内側でねじ孔１１６を備えている。ねじ孔１１６は凹部１１１と連続し、径方向に沿った直線上で孔１２３と並ぶ。固定部１３は例えばねじである。固定部１３はティース１２の孔１２３を貫通してねじ孔１１６に至り、ティース１２の径方向における位置を固定する。
【００５２】
このような固定部１３（ねじ）において、その締付によってティース１２は回転軸Ｐ側へと付勢される。よって径方向におけるティース１２の固定をより強固にできる。
【００５３】
また凹部１１１及びティース１２は以下に説明する形状を有することが望ましい。図２を参照して、ティース１２のうち凹部１１１に埋め込まれる部分において、周方向におけるティース１２の幅は回転軸Ｐ側で狭い。周方向における凹部１１１の幅も回転軸Ｐ側で狭い。そして、最も回転軸Ｐ側の凹部１１１の幅Ｗ１は最も回転軸Ｐ側のティース１２の幅Ｗ２よりも狭い。
【００５４】
ティース１２は固定部１３によって回転軸Ｐ側に付勢されている。ティース１２が回転軸Ｐ側に付勢されることによって、ヨーク１１は弾性変形によって周方向でティース１２を締め付ける方向に力を加える。よって、ティース１２の固定をより強固にできる。
【００５５】
なお、図８においては、ヨーク１１にねじ孔１１６が設けられているが、これに限らない。例えば回転軸Ｐ側でヨーク１１を保持する内径ボス部を取り付ける場合に、当該ねじ孔は内径ボス部に設けられても良い。この場合、例えばティース１２を径方向に貫通する孔１２３と、ヨーク１１を径方向に貫通する孔と、内径ボス部に設けられたねじ孔とが、径方向に沿った直線上で並ぶ。そして、固定部１３（ねじ）がティース１２とヨーク１１を貫通して内径ボス部に設けられたねじ孔に至り、ティース１２の径方向の位置を固定する。
【００５６】
図９はティース１２を回転軸Ｐ側へと付勢する固定部１３の他の一例を備えた電機子コアの概念的な構成の一例を示している。固定部１３は支持部１４とねじ１５とを備えている。支持部１４は例えば直方体部と、当該直方体部のうち周方向で対向する両面に設けられた突部１４１とを含む形状を有している。また支持部１４には径方向に沿って自身を貫通するねじ孔１４２が設けられている。
【００５７】
凹部１１１は、ティース１２に対して回転軸Ｐとは反対側の位置で、周方向に突出する突部１１７を備えている。突部１１７は軸方向においてティース１２側に開口している。
【００５８】
支持部１４は、ティース１２が凹部１１１に埋め込み配置された状態で、突部１４１を周方向に向けて凹部１１１に嵌挿される。より具体的には、突部１４１が突部１１７と嵌合する。これによって支持部１４はティース１２に対して回転軸Ｐとは反対側の位置でヨーク１１に対して固定される。
【００５９】
ねじ１５は支持部１４に対してティース１２とは反対側からねじ孔１４２に挿入される。ねじ１５はねじ孔１４２を介してティース１２へと至り、ティース１２を回転軸Ｐ側へと付勢する。
【００６０】
図１０はティース１２を回転軸Ｐ側へと付勢する固定部１３の他の一例を備えた電機子コアの概念的な構成の一例を示している。図１０は一のティースに相当する部分の軸方向に沿って見た上面図を示している。
【００６１】
固定部１３は弾性部材１６と、支持部１７とを備えている。
【００６２】
支持部１７は径方向においてティース１２に対して回転軸Ｐとは反対側でヨーク１１に対して固定される。支持部１７とティース１２は径方向において相互に離間している。より具体的な一例として図１０においては、支持部１７は、ヨーク１１と同体であって、軸方向に沿ってティース１２側へと突出している。但し、ティース１２は凹部１１１に対して径方向に沿って挿入されるので、支持部１７は径方向においてティース１２が通る経路を妨げない。
【００６３】
弾性部材１６は例えば板バネである。弾性部材１６は径方向において支持部１７とティース１２の間に在って、ティース１２を回転軸Ｐ側へと付勢する。
【００６４】
なお、支持部１７は必ずしもヨーク１１と同体で形成される必要はなく、例えば図９に示す支持部１４と同一の形状であってもよい。
【００６５】
第４の実施の形態．
第４の実施の形態にかかる電機子コアの概念的な構成の一例は図１，２に示す電機子コアと同一である。但し、固定部はヨーク１１と複数のティース１２との境界にそれぞれ位置し回転軸Ｐとは反対側で露出した箇所に設けられる溶接部である。
【００６６】
図１１はかかる固定部１３を備えた電機子コアの一例を示している。図１１は、一のティース１２に相当する部分を示す概念的な斜視図である。
【００６７】
ティース１２が凹部１１１に埋め込み配置された状態で生じる、ヨーク１１の表面とティース１２の表面との境界上であって、ティース１２に対して回転軸Ｐとは反対側の位置で、ヨーク１１とティース１２とが溶接される。なお、固定部１３は図１１に示す少なくとも一箇所以上に設けられていればよい。
【００６８】
任意の溶接方法が採用されてもよいが、例えばガス溶接、アーク溶接、エレクトロスラグ溶接、電子ビーム溶接、レーザ溶接、抵抗溶接、鍛接・摩擦圧接・爆発圧接、ろう付け・はんだ付け、スポット溶接、超音波溶着などによって実現される。特にレーザ溶接であれば、入熱量が少なく、また溶接の盛り上がりや溶接径が小さいので好適である。またプラズマアーク溶接であれば精密な溶接を実現できるので好適である。
【００６９】
ヨーク１１とティース１２とが溶接によって接続されるので、ヨーク１１とティース１２との固定をより強固にできる。なお、ティース１２に対して回転軸Ｐ側において溶接を行う場合であってもヨーク１１とティース１２との固定を強固にできるが、ティース１２に対して回転軸Ｐとは反対側で溶接が行われる方が、回転軸Ｐ側で行うよりも作業性を向上できる。
【００７０】
またティース１２に不図示の電機子巻線を巻回して電機子を得て、回転軸Ｐに対して当該電機子と対面するように界磁子を配置して回転電機を得た場合に、ティース１２の内部を流れる磁束は軸を中心とした周方向に沿ってヨーク１１の内部を流れる。ティース１２とヨーク１１とは回転軸Ｐと反対側の箇所で溶接されるので、当該磁束が当該箇所を流れにくい。よって、電機子としての磁気特性の劣化を抑制でき、ひいては回転電機としての効率低下を抑制できる。
【図面の簡単な説明】
【００７１】
【図１】電機子コアの概念的な構成の一例を示す上面図である。
【図２】電機子コアの一部の概念的な一例を示す斜視図である。
【図３】第１の実施の形態に係る電機子コアの概念的な一例を示す上面図である。
【図４】第１の実施の形態に係る電機子コアの概念的な他の一例を示す上面図である。
【図５】第１の実施の形態に係る電機子コアの概念的な他の一例を示す上面図である。
【図６】第２の実施の形態に係る電機子コアの概念的な一例を示す断面図である。
【図７】第２の実施の形態に係る電機子コアの概念的な他の一例を示す上面図である。
【図８】第３の実施の形態に係る電機子コアの概念的な一例を示す上面図である。
【図９】第３の実施の形態に係る電機子コアの概念的な他の一例を示す上面図である。
【図１０】第３の実施の形態に係る電機子コアの概念的な他の一例を示す上面図である。
【図１１】第４の実施の形態に係る電機子の概念的な一例を示す斜視図である。
【符号の説明】
【００７２】
１  電機子コア
１１  ヨーク
１２  ティース
１３  固定部
１１１  凹部
１２１  突部
Ｐ  回転軸
Ｗ１，Ｗ２  幅
【図１】
2010035342.tif 000003
【図２】
2010035342.tif 000004
【図３】
2010035342.tif 000005
【図４】
2010035342.tif 000006
【図５】
2010035342.tif 000007
【図６】
2010035342.tif 000008
【図７】
2010035342.tif 000009
【図８】
2010035342.tif 000010
【図９】
2010035342.tif 000011
【図１０】
2010035342.tif 000012
【図１１】
2010035342.tif 000013